(57)【特許請求の範囲】
【請求項１】
液圧マスタシリンダのシリンダ孔の上部に配置され、ポートを介して前記シリンダ孔に連通するリザーバ本体と、該リザーバ本体の上部開口縁にダイヤフラムを介して被着されるキャップとを備え、
前記リザーバ本体は、水平方向の断面が四角形状に形成され、前記ダイヤフラムは、前記リザーバ本体の上部開口縁に載置される外端のフランジ部と、該フランジ部の内側に設けられ、凹状部と凸状部とが連続して設けられる凹凸状に形成される蛇腹部と、該蛇腹部の下端内側に延設され、作動液の液面の変化に追従する平面部とを備えた液圧マスタシリンダのリザーバタンクにおいて、
前記ダイヤフラムは、前記蛇腹部の一部に、肉厚を厚く形成した肉厚補強部を設け、
前記肉厚補強部は、前記凸状部のキャップ側面を肉盛りすることにより形成されていることを特徴とする液圧マスタシリンダのリザーバタンク。
【請求項２】
前記蛇腹部は、前記フランジ部の内側に直線状に形成される直線部と、該直線部を繋ぐ屈曲部とを備え、前記直線部に前記肉厚補強部を設けるとともに、前記屈曲部に、リザーバ本体側に向けて凹状となるくびれ部を設けたことを特徴とする請求項１記載の液圧マスタシリンダのリザーバタンク。
【請求項３】
液圧マスタシリンダのシリンダ孔の上部に配置され、ポートを介して前記シリンダ孔に連通するリザーバ本体と、該リザーバ本体の上部開口縁にダイヤフラムを介して被着されるキャップとを備え、
前記リザーバ本体は、水平方向の断面が四角形状に形成され、前記ダイヤフラムは、前記リザーバ本体の上部開口縁に載置される外端のフランジ部と、該フランジ部の内側に設けられ、凹状部と凸状部とが連続して設けられる凹凸状に形成される蛇腹部と、該蛇腹部の下端内側に延設され、作動液の液面の変化に追従する平面部とを備えた液圧マスタシリンダのリザーバタンクにおいて、
前記ダイヤフラムは、前記蛇腹部の一部に、肉厚を厚く形成した肉厚補強部を設け、
前記蛇腹部は、前記フランジ部の内側に直線状に形成される直線部と、該直線部を繋ぐ屈曲部とを備え、前記直線部に前記肉厚補強部を設けるとともに、前記屈曲部に、リザーバ本体側に向けて凹状となるくびれ部を設けたことを特徴とする液圧マスタシリンダのリザーバタンク。
【請求項４】
液圧マスタシリンダのシリンダ孔の上部に配置され、ポートを介して前記シリンダ孔に連通するリザーバ本体と、該リザーバ本体の上部開口縁にダイヤフラムを介して被着されるキャップとを備え、
前記リザーバ本体は、水平方向の断面が多角形状に形成されるとともに、内壁に、前記リザーバ本体と前記ダイヤフラムと前記キャップとを連結する連結ボルトを装着する複数のボス部が突設され、
前記ダイヤフラムは、前記リザーバ本体の上部開口縁に載置される外端のフランジ部と、該フランジ部の内側に設けられ、凹状部と凸状部とが連続して設けられる凹凸状に形成される蛇腹部と、該蛇腹部の下端内側に延設され、作動液の液面の変化に追従する平面部とを備えた液圧マスタシリンダのリザーバタンクにおいて、
前記ダイヤフラムは、前記蛇腹部の一部に、肉厚を厚く形成した肉厚補強部を設け、
前記肉厚補強部は、前記凸状部のキャップ側面を肉盛りすることにより形成されていることを特徴とする液圧マスタシリンダのリザーバタンク。
【請求項５】
前記蛇腹部は、前記上部開口縁の直線部の内側に沿って直線状に形成される直線部と、前記各ボス部の内側に沿って屈曲して形成される屈曲部とを備え、前記直線部に前記肉厚補強部を設けたことを特徴とする請求項４記載の液圧マスタシリンダのリザーバタンク。
【請求項６】
液圧マスタシリンダのシリンダ孔の上部に配置され、ポートを介して前記シリンダ孔に連通するリザーバ本体と、該リザーバ本体の上部開口縁にダイヤフラムを介して被着されるキャップとを備え、
前記リザーバ本体は、水平方向の断面が多角形状に形成されるとともに、内壁に、前記リザーバ本体と前記ダイヤフラムと前記キャップとを連結する連結ボルトを装着する複数のボス部が突設され、
前記ダイヤフラムは、前記リザーバ本体の上部開口縁に載置される外端のフランジ部と、該フランジ部の内側に設けられ、凹状部と凸状部とが連続して設けられる凹凸状に形成される蛇腹部と、該蛇腹部の下端内側に延設され、作動液の液面の変化に追従する平面部とを備えた液圧マスタシリンダのリザーバタンクにおいて、
前記ダイヤフラムは、前記蛇腹部の一部に、肉厚を厚く形成した肉厚補強部を設け、
前記蛇腹部は、前記上部開口縁の直線部の内側に沿って直線状に形成される直線部と、前記各ボス部の内側に沿って屈曲して形成される屈曲部とを備え、前記直線部に前記肉厚補強部を設けたことを特徴とする液圧マスタシリンダのリザーバタンク。
【請求項７】
前記蛇腹部は、隣り合うボス部間の距離が最も長いボス部の内側に配置される前記屈曲部の中央部に、前記肉厚補強部を設けたことを特徴とする請求項５又は６記載の液圧マスタシリンダのリザーバタンク。
【発明の詳細な説明】
【技術分野】
【０００１】
本発明は、自動二輪車や自動三・四輪車の液圧マスタシリンダを作動させる作動液を貯留するリザーバタンクに係り、詳しくは、リザーバタンクに用いられるダイヤフラムの構造に関する。
【背景技術】
【０００２】
従来、液圧マスタシリンダのリザーバタンクに用いられるダイヤフラムは、貯液室を備えたリザーバ本体の上部開口縁に載置される外端のフランジ部と、該フランジ部の内側に設けられる蛇腹部と、該蛇腹部中央の下端内側に延設され、作動液の液面の変化に追従する平面部とを備えている（例えば、特許文献１参照。）。
【先行技術文献】
【特許文献】
【０００３】
【特許文献１】実開昭６２−８０７４８号公報
【発明の概要】
【発明が解決しようとする課題】
【０００４】
しかし、上述の特許文献１に示されるダイヤフラムでは、作動液充填時に油圧経路を真空引きする際に、ダイヤフラムがリザーバタンクの底部側に引っ張られると、蛇腹部がリザーバタンクの底部側に伸びて座屈し、蛇腹部に折り皺が発生することがあった。折り皺が発生すると、作動液充填後に蛇腹部が元の形状に復帰し難くなり、作動液充填後にダイヤフラムの形状を作業者が手で復帰させなければならないことがあった。
【０００５】
そこで本発明は、油圧経路を真空引きしながら作動液を充填する際に、蛇腹部の復元力を強め、作動液充填後に蛇腹部が元の形状に自動的に復帰することができる液圧マスタシリンダのリザーバタンクを提供することを目的としている。
【課題を解決するための手段】
【０００６】
上記目的を達成するため、本発明の液圧マスタシリンダのリザーバタンクは、液圧マスタシリンダのシリンダ孔の上部に配置され、ポートを介して前記シリンダ孔に連通するリザーバ本体と、該リザーバ本体の上部開口縁にダイヤフラムを介して被着されるキャップとを備え、前記リザーバ本体は、水平方向の断面が四角形状に形成され、前記ダイヤフラムは、前記リザーバ本体の上部開口縁に載置される外端のフランジ部と、該フランジ部の内側に設けられ、凹状部と凸状部とが連続して設けられる凹凸状に形成される蛇腹部と、該蛇腹部の下端内側に延設され、作動液の液面の変化に追従する平面部とを備えた液圧マスタシリンダのリザーバタンクにおいて、前記ダイヤフラムは、前記蛇腹部の一部に、肉厚を厚く形成した肉厚補強部を設けたことを特徴としている。
【０００７】
また、前記肉厚補強部は、前記凸状部のキャップ側面を肉盛りすることにより形成されると好ましい。さらに、前記蛇腹部は、前記フランジ部の内側に直線状に形成される直線部と、該直線部を繋ぐ屈曲部とを備え、前記直線部に前記肉厚補強部を設けるとともに、前記屈曲部に、リザーバ本体側に向けて凹状となるくびれ部を設けると好適である。
【０００８】
さらに、液圧マスタシリンダのシリンダ孔の上部に配置され、ポートを介して前記シリンダ孔に連通するリザーバ本体と、該リザーバ本体の上部開口縁にダイヤフラムを介して被着されるキャップとを備え、前記リザーバ本体は、水平方向の断面が多角形状に形成されるとともに、内壁に、前記リザーバ本体と前記ダイヤフラムと前記キャップとを連結する連結ボルトを装着する複数のボス部が突設され、前記ダイヤフラムは、前記リザーバ本体の上部開口縁に載置される外端のフランジ部と、該フランジ部の内側に設けられ、凹状部と凸状部とが連続して設けられる凹凸状に形成される蛇腹部と、該蛇腹部の下端内側に延設され、作動液の液面の変化に追従する平面部とを備えた液圧マスタシリンダのリザーバタンクにおいて、前記ダイヤフラムは、前記蛇腹部の一部に、肉厚を厚く形成した肉厚補強部を設けたことを特徴としている。
【０００９】
前記肉厚補強部は、前記凸状部のキャップ側面を肉盛りすることにより形成されていると好ましい。さらに、前記蛇腹部は、前記上部開口縁の直線部の内側に沿って直線状に形成される直線部と、前記各ボス部の内側に沿って屈曲して形成される屈曲部とを備え、前記直線部に前記肉厚補強部を設けると好適である。さらに、前記蛇腹部は、隣り合うボス部間の距離が最も長いボス部の内側に配置される前記屈曲部の中央部に、前記肉厚補強部を設けると好ましい。
【発明の効果】
【００１０】
本発明の液圧マスタシリンダのリザーバタンクによれば、水平方向の断面が四角形状のリザーバ本体に装着されるダイヤフラムの蛇腹部の一部に肉厚補強部を形成したことにより、作動液充填時に油圧経路を真空引きする際に、ダイヤフラムがリザーバタンクの底部側に引っ張られても、肉厚補強部により蛇腹部の復元力が助長され、作動液充填後に蛇腹部が元の形状に自動的に復帰することから、作動液充填時の作業性の向上を図ることができる。
【００１１】
また、肉厚補強部は、蛇腹部の凸状部のキャップ側面を肉盛りすることにより形成されていることにより、蛇腹部の高さ（凸状部の高さ）に応じた肉厚補強部を形成することができ、特に、蛇腹部の高さが高いものでは、肉厚補強部の面積を大きくすることができることから、作動液充填後に蛇腹部を良好に元の形状に復帰させることができる。さらに、蛇腹部は、フランジ部の内側に形成された直線部と、直線部を繋ぐ屈曲部とを備え、直線部に肉厚補強部を設けるとともに、屈曲部に、リザーバ本体側に向けて凹状となるくびれ部を設けたことにより、直線部の復元力を助長させることができるとともに、くびれ部により、真空引きの際に屈曲部に折り皺ができ難くなることから、作動液充填後に蛇腹部を良好に元の形状に復帰させることができる。
【００１２】
さらに、本発明の液圧マスタシリンダのリザーバタンクによれば、水平方向の断面が多角形状のリザーバ本体に装着されるダイヤフラムの蛇腹部の一部に肉厚補強部を形成したことにより、作動液充填時に油圧経路を真空引きする際に、ダイヤフラムがリザーバタンクの底部側に引っ張られても、肉厚補強部により蛇腹部の復元力が助長され、作動液充填後に蛇腹部が元の形状に自動的に復帰することから、作動液充填時の作業性の向上を図ることができる。より具体的には、真空引きの際に、折り皺の発生しやすい箇所の両側に肉厚補強部を設けることで、作動液充填後に折り皺を元の形状に良好に復帰させ、ダイヤフラム全体を自動的に元の形状に復帰させることができる。また、蛇腹部は、肉厚補強部を設けていない通常の肉厚（例えば、平面部と同等の肉厚）に形成された部分を有していることにより、液圧マスタシリンダの作動時に、作動液の液面変化に伴い、蛇腹部を適宜伸縮させて、平面部を液面に良好に追従させることができる。
【００１３】
さらに、蛇腹部は、リザーバタンクの上部開口縁の直線部の内側に沿って直線状に形成される直線部と、各ボス部の内側に沿って屈曲して形成される屈曲部とを備え、直線部に肉厚補強部を設けたことにより、真空引きの際、折り皺の発生し易い屈曲部の両側に設けられた肉厚補強部によって、作動液充填後に蛇腹部を良好に元の形状に復帰させることができる。
【００１４】
また、蛇腹部は、直線部に加えて、隣り合うボス部間の距離が最も長いボス部の内側に配置される屈曲部の中央部にも肉厚補強部を設けたことにより、特に折り皺の発生し易い屈曲部の中央部が補強され、作動液充填後に蛇腹部をより確実に元の形状に復帰させることができる。また、屈曲部の中央に設けられた肉厚補強部の両端部は、通常の肉厚に形成されていることにより、屈曲部に肉厚補強部を形成しても、平面部の作動液への追従性に支承を来す虞がない。
【図面の簡単な説明】
【００１５】
【図１】図５のＩ−Ｉ断面図である。
【図２】本発明の第１形態例を示すダイヤフラムの平面図である。
【図３】図２のＩＩＩ−ＩＩＩ断面図である。
【図４】本発明の第１形態例を示すダイヤフラムの一部断面斜視図である。
【図５】同じく液圧マスタシリンダ装置の平面図である。
【図６】図１０のＶＩ−ＶＩ断面図である。
【図７】本発明の第２形態例を示すダイヤフラムの平面図である。
【図８】図７のＶＩＩＩ−ＶＩＩＩ断面図である。
【図９】本発明の第２形態例を示すダイヤフラムの一部断面斜視図である。
【図１０】同じく液圧マスタシリンダ装置の平面図である。
【発明を実施するための形態】
【００１６】
図１乃至図５は、本発明の第１形態例を示すもので、バーハンドル車両の車体前部で前輪を操向するハンドルバー１の右側には、液圧マスタシリンダ２と操作レバー３とを組み合わせたフロントブレーキ用の液圧マスタシリンダ装置４が取り付けられている。液圧マスタシリンダ２は、ハンドルバー１に略沿って配置されるシリンダボディ２ａの上部にリザーバタンク５が一体に取り付けられ、シリンダボディ２ａの一端を開口して設けられた有底のシリンダ孔２ｂには、ピストン２ｃが液密且つ移動可能に内挿されており、操作レバー３の握り操作によってピストン２ｃをシリンダ孔２ｂの底部方向へ押動し、シリンダ孔２ｂの底部に設けられた液圧室６に液圧を発生させるようになっている。
【００１７】
リザーバタンク５は、作動液を貯留する貯液室５ａを備えたリザーバ本体５ｂと、該リザーバ本体５ｂの上部開口縁５ｃを覆うキャップ７との間に、ダイヤフラムプレート８とダイヤフラム９とを上下に重合し、キャップ７とダイヤフラムプレート８とダイヤフラム９とに挿通した２本の止めねじ１０をリザーバ本体５ｂの上面に螺着して、これらをリザーバ本体５ｂに一体に取り付けている。
【００１８】
シリンダボディ２ａとリザーバ本体５ｂとは、鋳鉄やアルミニウム合金等によって一体に成形されており、シリンダ孔２ｂと貯液室５ａとをリリーフポート１１及びサプライポート１２（本発明のポート）とで連通して、貯液室５ａ内の作動液をシリンダ孔２ｂへ随時補給したり、シリンダ孔２ｂ内の作動液の一部を貯液室５ａへ還流させるようにしている。
【００１９】
リザーバ本体５ｂは、水平方向の断面がハンドルバー１の軸方向に長い四角形状に形成され、短辺側の内壁中央部に内側に向けて突出する一対のボス部５ｄ，５ｄがそれぞれ設けられ、各ボス部５ｄに、キャップ取り付け用の雌ねじ孔５ｅが上面に開口してそれぞれ設けられている。
【００２０】
キャップ７と、ダイヤフラムプレート８と、ダイヤフラム９とは、リザーバ本体５ｂの上部開口縁５ｃと略同一形状となるハンドルバー１の軸方向に長い平面視四角形状に形成されている。キャップ７は、リザーバ本体５ｂの各雌ねじ孔５ｅと同一位置に、テーパ状のざくり面付きのねじ挿通孔７ａが穿設されている。ダイヤフラムプレート８は、中央に通気孔８ａを備え、外縁部８ｂのリザーバ本体５ｂに形成された雌ねじ孔５ｅに対応する位置に、止めねじ１０を挿通させるねじ挿通孔８ｃがそれぞれ形成されている。
【００２１】
ダイヤフラム９は、リザーバ本体５ｂの上部開口縁５ｃに載置される外端のフランジ部９ａと、該フランジ部９ａの内側に設けられる蛇腹部９ｂと、該蛇腹部９ｂの下端内側に設けられ、作動液の液面の変化に追従する平面部９ｃとを備え、フランジ部９ａのリザーバ本体５ｂの各雌ねじ孔５ｅと対応する位置には、ねじ挿通孔９ｄがそれぞれ穿設されている。また、平面部９ｃの上面には、馬蹄形の補強リブ９ｅ，９ｅが設けられている。
【００２２】
蛇腹部９ｂは、凹状部９ｆと凸状部９ｇとが連続して設けられる凹凸状に形成され、外側に凹状部９ｆが、内側に凸状部９ｇがそれぞれ設けられている。また、凸状部９ｇは、フランジ部９ａの直線部内側に、該直線部と平行に形成される長辺部９ｈ，９ｈ（本発明の直線部）及び短辺部９ｉ，９ｉ（本発明の直線部）と、長辺部９ｈと短辺部９ｉとを繋ぐ４つの屈曲部９ｊとを備えた平面視矩形状に形成されている。長辺部９ｈと短辺部９ｉの一部には、凸状部９ｇのキャップ側面を肉盛りすることにより形成される肉厚補強部Ｒ１が設けられている。さらに、各屈曲部９ｊには、角部に向けて凸状部９ｇの高さを漸次低く形成することにより、リザーバ本体側に向けて凹状となるくびれ部９ｋが形成されている。
【００２３】
本形態例は上述のように形成されることにより、作動液充填時に油圧経路を真空引きする際に、ダイヤフラム２４がリザーバタンク２１の底部側に引っ張られ蛇腹部９ｂが伸びても、蛇腹部９ｂに形成した肉厚補強部Ｒ２によって、蛇腹部９ｂの復元力が助長され、作動液充填後に蛇腹部９ｂが元の形状に自動的に復帰することから、作動液充填時の作業性の向上を図ることができる。また、角部に向けて屈曲部９ｊの凸状部９ｇの高さを漸次低く形成したくびれ部９ｋによって、屈曲部９ｊが真空引きの際に変形し難くなることから、屈曲部９ｊに折り皺が発生することを抑制でき、作動液充填後に蛇腹部９ｂをより確実に元の形状に自動的に復帰させることができる。さらに、くびれ部９ｋにより、真空引きの際にダイヤフラム９全体をタンク底部側にスムーズに引き伸ばすことができるようになる。また、蛇腹部９ｂは、肉厚補強部Ｒ１を設けていない通常の肉厚（例えば、平面部９ｃと同等の肉厚）に形成された部分を有していることにより、液圧マスタシリンダ２の作動時に、作動液の液面変化に伴い、蛇腹部９ｂを適宜伸縮させて、平面部９ｃを液面に良好に追従させることができる。
【００２４】
また、通常、ダイヤフラム全体の取付剛性のバランスが悪いと、作動液充填時に油圧経路を真空引きする際に、取付剛性の低い部分の蛇腹部が、取付剛性の高い部分の蛇腹部よりも先に変形し（すなわち、先に引き伸ばされ）、作動液充填後には、真空引き時とは逆に、取付剛性の高い部分の蛇腹部から元の形状に復帰し、取付剛性の低い部分の蛇腹部が取付剛性の高い部分の蛇腹部に引っ張られて元の形状に戻り難くなっている。本形態例のダイヤフラム９では、リザーバタンク５のボス部５ｄにねじ止めされる一対のねじ挿通孔９ｄ，９ｄに近い部分ほど取付剛性が高くなるが、一対のねじ挿通孔９ｄ，９ｄが、ダイヤフラム９の長手方向の中心線Ｌ１及び短手方向の中心線Ｌ２に対してそれぞれ対称位置に形成されるとともに、一対のねじ挿通孔９ｄ，９ｄの間の蛇腹部９ｂに、肉厚補強部Ｒ１とくびれ部９ｋとが、中心線Ｌ１，Ｌ２に対してそれぞれ対称位置に形成されていることから、ダイヤフラム全体の剛性バランスが良好で、真空引きの際は、蛇腹部全体が略同時に引き伸ばされるとともに、作動液充填後に、蛇腹部全体が略同時に元の形状に復帰することができ、元の形状に戻りにくい部分が発生しない。
【００２５】
図６乃至図１０は本発明の液圧マスタシリンダのリザーバタンクの第２形態例を示すもので、第１形態例と同様の構成要素を示すものには、同一の符号をそれぞれ付して、その詳細な説明は省略する。
【００２６】
本形態例の液圧マスタシリンダ装置２０のリザーバタンク２１は、作動液を貯留する貯液室２１ａを備えたリザーバ本体２１ｂと、該リザーバ本体２１ｂの上部開口縁２１ｃを覆うキャップ２２との間に、ダイヤフラムプレート２３とダイヤフラム２４とを上下に重合し、キャップ２２とダイヤフラムプレート２３とダイヤフラム２４とに挿通した３本の止めねじ２５をリザーバ本体２１ｂの上面に螺着して、これらをリザーバ本体２１ｂに一体に取り付けている。
【００２７】
シリンダボディ２ａとリザーバ本体２１ｂとは、鋳鉄やアルミニウム合金等によって一体に成形されており、シリンダ孔２ｂと貯液室２１ａとをリリーフポート１１及びサプライポート１２（本発明のポート）とで連通して、貯液室２１ａ内の作動液をシリンダ孔２ｂへ随時補給したり、シリンダ孔２ｂ内の作動液の一部を貯液室２１ａへ還流させるようにしている。
【００２８】
リザーバ本体２１ｂは、水平方向の断面がハンドルバー１の軸方向に長い五角形状に形成され、内壁に、内側に向けて突出する３つのボス部２１ｄ，２１ｅ，２１ｆが設けられ、各ボス部２１ｄ，２１ｅ，２１ｆに、キャップ取り付け用の雌ねじ孔２１ｇが上面に開口してそれぞれ設けられている。ボス部２１ｄは、リザーバ本体２１ｂの車体前後方向中央部で車体右側に突出する角部に、ボス部２１ｅは、リザーバ本体２１ｂの車体後方で車体左側に突出する角部に、ボス部２１ｆは、ボス部２１ｅに隣接する車体前方の角部よりも僅かに車体右側にそれぞれ設けられ、ボス部２１ｄは、隣り合うボス部間の距離が最も長くなっている（他の２つのボス部２１ｅ，２１ｆから離れている。）。
【００２９】
キャップ２２は、鋳鉄やアルミニウム合金で、またダイヤフラムプレート２３は硬質の合成樹脂で、さらにダイヤフラム２４は、合成ゴム等の可撓性材料によって、それぞれリザーバ本体２１ｂの上部開口縁２１ｃと略同一形状となるハンドルバー１の軸方向に長い平面視五角形状に形成されている。キャップ２２は、リザーバ本体２１ｂの各雌ねじ孔２１ｇと同一位置に、テーパ状のざくり面付きのねじ挿通孔２２ａが穿設されている。
【００３０】
ダイヤフラムプレート２３は、中央に通気孔を備え、外縁部２３ａのリザーバ本体２１ｂに形成された雌ねじ孔２１ｇに対応する位置に、止めねじ２５を挿通させるねじ挿通孔２３ｂがそれぞれ形成されている。また、外縁部２３ａには、リザーバ本体２１ｂの内壁の形状に沿って内壁よりも内側に配置されるとともに下方に向けて突出し、ダイヤフラム２４の変形をガイドするガイドリブ２３ｃが形成されている。
【００３１】
ダイヤフラム２４は、リザーバ本体２１ｂの上部開口縁２１ｃに載置される外端のフランジ部２４ａと、該フランジ部２４ａの内側に設けられる蛇腹部２４ｂと、該蛇腹部２４ｂの下端内側に設けられ、作動液の液面の変化に追従する平面部２４ｃとを備え、フランジ部２４ａのリザーバ本体２１ｂの各雌ねじ孔２１ｇと対応する位置には、ねじ挿通孔２４ｄがそれぞれ穿設されている。蛇腹部２４ｂは、凹状部２４ｅと凸状部２４ｆとが連続して設けられる凹凸状に形成され、外側に凹状部２４ｅが、内側に凸状部２４ｆがそれぞれ設けられている。
【００３２】
蛇腹部２４ｂは、リザーバ本体２１ｂの上部開口縁２１ｃの形状に沿って形成され、上部開口縁２１ｃの直線部の内側に沿って直線状に形成される複数の直線部２４ｇと、ボス部２１ｄの内側に沿ってリザーバ本体内側に向けて凹状に湾曲して形成される第１屈曲部２４ｈと、ボス部２１ｅの内側に沿ってリザーバ本体内側に向けて凹状に湾曲して形成される第２屈曲部２４ｉと、ボス部２１ｆの内側に沿ってリザーバ本体内側に向けて凹状に湾曲して形成される第３屈曲部２４ｊとを備えている。蛇腹部２４ｂは、複数の直線部２４ｇの一部と、第１屈曲部２４ｈの中央部とに肉厚補強部Ｒ２が設けられ、この肉厚補強部Ｒ２は、凸状部２４ｆのキャップ側面を肉盛りすることにより形成されている。また、第１屈曲部２４ｈの両端部と、第２屈曲部２４ｉと、第３屈曲部２４ｊと該第３屈曲部２４ｊの両側に連続する直線部２４ｇ，２４ｇの一部と、第１屈曲部２４ｈと第２屈曲部２４ｉ間に形成される最も長い直線部２４ｇの中央部とには、肉厚補強部Ｒ２が設けられず、通常の肉厚（例えば、平面部２４ｃと同等の肉厚）に形成されている。
【００３３】
このように形成された液圧マスタシリンダ２は、作動液充填時に油圧経路を真空引きする際に、ダイヤフラム２４がリザーバタンク５の底部側に引っ張られ蛇腹部２４ｂが伸びても、蛇腹部２４ｂに形成した肉厚補強部Ｒ２によって、蛇腹部２４ｂの復元力が助長され、作動液充填後に蛇腹部２４ｂが元の形状に自動的に復帰することから、作動液充填時の作業性の向上を図ることができる。本形態例のダイヤフラム２４では、真空引きの際に、第１屈曲部２４ｈ，第２屈曲部２４ｉ，第３屈曲部２４ｊに折り皺が発生し易いが、第１屈曲部２４ｈの両側の直線部２４ｇ，第２屈曲部２４ｉの両側の直線部２４ｇ，第３屈曲部２４ｊの両側の直線部２４ｇに、それぞれ肉厚補強部Ｒ２が設けられることにより、第１屈曲部２４ｈ，第２屈曲部２４ｉ，第３屈曲部２４ｊに折り皺が発生しても、作動液充填後に蛇腹部２４ｂが元の形状に自動的に復帰させることができる。さらに、隣り合うボス部間の距離が最も長いボス部２１ｄの内側に配置される第１屈曲部２４ｈには、特に折り皺が発生しやすいが、第１屈曲部２４ｈの中央部にも肉厚補強部Ｒ２を設けたことにより、作動液充填後に蛇腹部２４ｂをより確実に元の形状に復帰させることができる。これにより、作動液充填時の作業性の向上を図ることができる。
【００３４】
また、第１屈曲部２４ｈの両端部と、第２屈曲部２４ｉと、第３屈曲部２４ｊと該第３屈曲部２４ｊの両側に連続する直線部２４ｇ，９ｇの一部と、第１屈曲部２４ｈと第２屈曲部２４ｉ間に形成される最も長い直線部２４ｇの中央部とには、肉厚補強部Ｒ２が設けられず、通常の肉厚に形成されていることから、液圧マスタシリンダ２の作動時に、蛇腹部２４ｂを伸縮させて、平面部２４ｃを作動液の液面変化に良好に追従させることができる。
【００３５】
さらに、本形態例のダイヤフラム２４では、リザーバタンク２１のボス部２１ｄ，２１ｅ，２１ｆの間隔が均等ではないことから、隣り合うボス部間の距離が最も長いボス部２１ｄに取り付けられるねじ挿通孔２４ｄに近い部分で、取付剛性が低くなるが（図７に示すダイヤフラム２４の右側の部分）、取付剛性の低い部分に肉厚補強部Ｒ２が多く設けられていることから、ダイヤフラム全体の剛性バランスを良好に保つことができ、真空引きの際には、蛇腹部全体が略同時に引き伸ばされるとともに、作動液充填後に、蛇腹部全体が略同時に元の形状に復帰することができ、元の形状に戻りにくい部分が発生しない。
【００３６】
尚、本発明は上述の各形態例のように、リザーバ本体の形状は、水平方向の断面が五角形や四角形に限らず三角形でも、また、五角形以上でも差し支えなく、ダイヤフラムもリザーバ本体の形状に応じた外形とすれば良い。また、肉厚補強部は、凸状部のキャップ側面を肉盛りして形成するものに限らず、蛇腹部のどの部分に形成しても差し支えない。さらに、液圧マスタシリンダは、上述の形態例に限らず、タンデムタイプのものでも良く、シリンダボディの上部に別体のリザーバタンクを設けたものや、リザーバ本体が樹脂で形成されてものでも良い。また、リザーバタンクにダイヤフラムプレートを備えていないものでも良い。
【符号の説明】
【００３７】
１…ハンドルバー、２…液圧マスタシリンダ、２ａ…シリンダボディ、２ｂ…シリンダ孔、２ｃ…ピストン、３…操作レバー、４…液圧マスタシリンダ装置、５…リザーバタンク、５ａ…貯液室、５ｂ…リザーバ本体、５ｃ…上部開口縁、５ｄ…ボス部、５ｇ…雌ねじ孔、６…液圧室、７…キャップ、７ａ…ねじ挿通孔、８…ダイヤフラムプレート、８ａ…通気孔、８ｂ…外縁部、８ｃ…ねじ挿通孔、９…ダイヤフラム、９ａ…フランジ、９ｂ…蛇腹部、９ｃ…平面部、９ｄ…ねじ挿通孔、９ｅ…補強リブ、９ｆ…凹状部、９ｇ…凸状部、９ｈ…長辺部、９ｉ…短辺部、９ｊ…屈曲部、９ｋ…くびれ部、１０…止めねじ、１１…リリーフポート、１２…サプライポート、２０…液圧マスタシリンダ装置、２１…リザーバタンク、２１ａ…貯液室、２１ｂ…リザーバ本体、２１ｃ…上部開口縁、２１ｄ，２１ｅ，２１ｆ…ボス部、２１ｇ…雌ねじ孔、２２…キャップ、２２ａ…ねじ挿通孔、２３…ダイヤフラムプレート、２３ａ…外縁部、２３ｂ…ねじ挿通孔、２３ｃ…ガイドリブ、２４…ダイヤフラム、２４ａ…フランジ部、２４ｂ…蛇腹部、２４ｃ…平面部、２４ｄ…ねじ挿通孔、２４ｅ…凹状部、２４ｆ…凸状部、２４ｇ…直線部、２４ｈ…第１屈曲部、２４ｉ…第２屈曲部、２４ｊ…第３屈曲部、２５…止めねじ、Ｒ１，Ｒ２…肉厚補強部
【図１】
0006629091.tif 000002
【図２】
0006629091.tif 000003
【図３】
0006629091.tif 000004
【図４】
0006629091.tif 000005
【図５】
0006629091.tif 000006
【図６】
0006629091.tif 000007
【図７】
0006629091.tif 000008
【図８】
0006629091.tif 000009
【図９】
0006629091.tif 000010
【図１０】
0006629091.tif 000011